(57)【要約】  ショーケースは、圧縮機（１０）、第一凝縮器（１１）、絞り装置（１２）、および、第一蒸発器（１３）が配管で順次接続され、第一冷媒が循環する第一回路（１０１）と、第二凝縮器（１４）と第二蒸発器（１５）とが配管で順次接続され、第二冷媒が自然循環する第二回路（１０２）と、で構成された冷媒回路と、第一蒸発器（１３）で冷却された空気が流れる冷却室、および、第一蒸発器（１３）で冷却された空気または第二凝縮器（１４）で加温された空気が流れる加温冷却選択室、が形成された筐体と、を備えたものである。
2019224870.tif 000002
【特許請求の範囲】
【請求項１】
圧縮機、第一凝縮器、絞り装置、および、第一蒸発器が配管で順次接続され、第一冷媒が循環する第一回路と、第二凝縮器と第二蒸発器とが配管で順次接続され、第二冷媒が自然循環する第二回路と、で構成された冷媒回路と、  前記第一蒸発器で冷却された空気が流れる冷却室、および、前記第一蒸発器で冷却された空気または前記第二凝縮器で加温された空気が流れる加温冷却選択室、が形成された筐体と、を備えた  ショーケース。
【請求項２】
前記第二蒸発器は、前記第一凝縮器と同一の風路上、かつ、前記第一凝縮器の下流側に設けられている  請求項１に記載のショーケース。
【請求項３】
前記第二凝縮器は、前記第二蒸発器よりも上側となる位置に設けられている  請求項１または２に記載のショーケース。
【請求項４】
前記第一凝縮器に空気を供給する第一凝縮器用送風機を備えた  請求項１〜３のいずれか一項に記載のショーケース。
【請求項５】
前記筐体は、前記圧縮機、前記第一凝縮器、および、前記第二蒸発器が収納された機械室を備えた  請求項１〜４のいずれか一項に記載のショーケース。
【請求項６】
前記第一凝縮器と前記第二蒸発器とは一体化されている  請求項１〜５のいずれか一項に記載のショーケース。
【請求項７】
制御装置を備えた  請求項１〜６のいずれか一項に記載のショーケース。
【請求項８】
前記圧縮機は、周波数が可変できるものであり、  前記制御装置は、  加温冷却選択室の冷却時では、加温時と比較して、前記圧縮機の周波数を減速するものである  請求項７に記載のショーケース。
【請求項９】
前記筐体には、  前記加温冷却選択室と前記冷却室とを連通させる風路と、  前記第一蒸発器で冷却された空気または前記第二凝縮器で加温された空気が前記加温冷却選択室に吹き出される吹出口と  前記第一蒸発器が配置されている中部ダクトと、  前記吹出口と前記中部ダクトとの間に設けられた上部ダクトと、が形成されている  請求項１〜８のいずれか一項に記載のショーケース。
【請求項１０】
移動することにより、前記風路を塞ぐまたは開放するとともに、前記上部ダクトと前記中部ダクトとを仕切るまたは連通させる仕切部材を備えた  請求項９に記載のショーケース。
【請求項１１】
前記第二凝縮器に空気を供給する第二凝縮器用送風機を備えた  請求項１〜１０のいずれか一項に記載のショーケース。
【請求項１２】
前記第一蒸発器に空気を供給する第一蒸発器用送風機を備えた  請求項１〜１１のいずれか一項に記載のショーケース。
【請求項１３】
圧縮機、第一凝縮器、絞り装置、および、第一蒸発器が配管で順次接続され、第一冷媒が循環する第一回路と、第二凝縮器と第二蒸発器とが配管で順次接続され、第二冷媒が自然循環する第二回路と、で構成された冷媒回路と、  前記第一蒸発器で冷却された空気が流れる冷却室、および、前記第二凝縮器で加温された空気が流れる加温室、が形成された筐体と、を備えた  ショーケース。
【請求項１４】
前記冷媒回路に可燃性冷媒が封入された  請求項１〜１３のいずれか一項に記載のショーケース。
【請求項１５】
前記可燃性冷媒はプロパンである  請求項１４に記載のショーケース。
【発明の詳細な説明】
【技術分野】
【０００１】  本発明は、スーパーマーケットおよびコンビニエンスストア等の店舗に設置されるショーケースに関するものである。
【背景技術】
【０００２】  従来から、加温使用する棚と冷却使用する棚とを有するショーケースが知られている（例えば、特許文献１参照）。特許文献１のショーケースは、電気ヒータが加温使用する棚の加温を行っている。
【先行技術文献】
【特許文献】
【０００３】
【特許文献１】特開２０１５−１６５８７５号公報
【発明の概要】
【発明が解決しようとする課題】
【０００４】  特許文献１に記載のショーケースでは、電気ヒータが加温使用する棚の加温を行っているため、エネルギー消費が多くなってしまうという課題があった。【０００５】  本発明は、以上のような課題を解決するためになされたもので、省エネルギー化を実現することができるショーケースを提供することを目的としている。
【課題を解決するための手段】
【０００６】  本発明に係るショーケースは、圧縮機、第一凝縮器、絞り装置、および、第一蒸発器が配管で順次接続され、第一冷媒が循環する第一回路と、第二凝縮器と第二蒸発器とが配管で順次接続され、第二冷媒が自然循環する第二回路と、で構成された冷媒回路と、前記第一蒸発器で冷却された空気が流れる冷却室、および、前記第一蒸発器で冷却された空気または前記第二凝縮器で加温された空気が流れる加温冷却選択室、が形成された筐体と、を備えたものである。
【発明の効果】
【０００７】  本発明に係るショーケースによれば、電気ヒータを使用せずに自然循環回路の凝縮器で加温された空気で加温冷却選択室を加温する構成であるため、省エネルギー化を実現することができる。
【図面の簡単な説明】
【０００８】
【図１】本発明の実施の形態１に係るショーケースを示す正面模式図である。
【図２】本発明の実施の形態１に係るショーケースの冷媒回路図である。
【図３】本発明の実施の形態１に係るショーケースの加温・常温時の空気の流れを示す模式図である。
【図４】本発明の実施の形態１に係るショーケースの加温・常温時の空気の流れを示す正面からみた模式図である。
【図５】本発明の実施の形態１に係るショーケースのｐ−ｈ線図上での第二冷媒の状態を示す図である。
【図６】本発明の実施の形態１に係るショーケースの冷却時の空気の流れを示す模式図である。
【図７】本発明の実施の形態１に係るショーケースの冷却時の空気の流れを示す正面からみた模式図である。
【図８】本発明の実施の形態１に係るショーケースの変形例による冷媒回路図である。
【図９】本発明の実施の形態２に係るショーケースの冷媒回路図である。
【発明を実施するための形態】
【０００９】  以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１０】  実施の形態１．  図１は、本発明の実施の形態１に係るショーケースを示す正面模式図である。
【００１１】  本実施の形態１に係るショーケースはリーチインタイプであり、図１に示すように、外郭を構成する筐体１の内部に、加温と冷却とを切替え可能な加温冷却選択室２と、冷却専用の第一冷却室３および第二冷却室４と、機械室５とが形成されている。つまり、本実施の形態１に係るショーケースは、加温冷却選択室２を冷却または加温する、冷却・加温機能を備えている。機械室５は、筐体１の下部に配置されており、機械室５には後述する圧縮機１０、第一凝縮器１１、第二蒸発器１５、および、第一凝縮器用送風機２１が収納されている（図３および図６参照）。
【００１２】  図２は、本発明の実施の形態１に係るショーケースの冷媒回路図である。  本実施の形態１に係るショーケースは、図２に示すように、第一回路１０１と第二回路１０２とで構成される冷媒回路１００Ａを備えている。さらに、ショーケースは、制御装置２００を備えている。
【００１３】  第一回路１０１は、圧縮機１０、第一凝縮器１１、絞り装置１２、および、第一蒸発器１３が配管で順次接続され、第一冷媒が循環する回路である。また、第二回路１０２は、第一凝縮器１１の風路下流側に設けられた第二蒸発器１５と、第二蒸発器１５よりも上側となる位置に設けられた第二凝縮器１４とが配管で接続され、第二冷媒が循環する回路である。なお、第一冷媒と第二冷媒とは、同一の種類であってもよく、異なる種類であってもよい。また、以下において、第一冷媒および第二冷媒を区別しない場合は、単に冷媒と称する。ここで、第一凝縮器１１と第二蒸発器１５とは同一の風路４６上に配置されており、第二蒸発器１５は、第一凝縮器１１の下流側に配置されている（後述する図３および図６参照）。そして、第一回路１０１および第二回路１０２には、それぞれ第一冷媒、第二冷媒が封入されており、各回路内をそれら冷媒が独立して循環する。つまり、第一回路１０１と第二回路１０２とは互いに独立した閉回路である。
【００１４】  圧縮機１０は、冷媒を吸入し、その冷媒を圧縮して高温高圧の状態にするものであり、例えば周波数が可変できるインバータ圧縮機である。第一凝縮器１１、第一蒸発器１３、第二凝縮器１４、および、第二蒸発器１５は、冷媒と空気との間で熱交換を行うものである。また、第一凝縮器１１、第一蒸発器１３、第二凝縮器１４、および、第二蒸発器１５は、円形状の貫通穴が形成された複数のフィン（図示せず）と、貫通穴に挿入される複数の伝熱管（図示せず）と、複数の伝熱管に接合されて、冷媒の流路を形成する複数のＵベンド（図示せず）と、を有している。絞り装置１２は、それに流れ込む冷媒を減圧する装置であり、例えば電子膨張弁である。
【００１５】  第一凝縮器用送風機２１は、第一凝縮器１１に併設され、第一凝縮器１１に空気を供給するものである。第一蒸発器用送風機２２は、第一蒸発器１３に併設され、第一蒸発器１３に空気を供給するものである。第二凝縮器用送風機２３は、第二凝縮器１４に併設され、第二凝縮器１４に空気を供給するものである。第一凝縮器用送風機２１、第一蒸発器用送風機２２、および、第二凝縮器用送風機２３は、例えば一定速または周波数が可変できるＤＣタイプの送風機である。
【００１６】  制御装置２００は、ショーケース全体を制御するものであり、例えば、絞り装置１２の開度、および、圧縮機１０がインバータ圧縮機である場合はその周波数、等を制御する。この制御装置２００は、例えば、専用のハードウェア、またはメモリに格納されるプログラムを実行するＣＰＵ（Central Processing Unit、中央処理装置、処理装置、演算装置、マイクロプロセッサ、マイクロコンピュータ、プロセッサともいう）で構成されるものである。
【００１７】  図３は、本発明の実施の形態１に係るショーケースの加温・常温時の空気の流れを示す模式図である。図４は、本発明の実施の形態１に係るショーケースの加温・常温時の空気の流れを示す正面からみた模式図である。図５は、本発明の実施の形態１に係るショーケースのｐ−ｈ線図上での第二冷媒の状態を示す図である。図６は、本発明の実施の形態１に係るショーケースの冷却時の空気の流れを示す模式図である。図７は、本発明の実施の形態１に係るショーケースの冷却時の空気の流れを示す正面からみた模式図である。
【００１８】  図３に示すように、ショーケース内の天板３４と前扉６の上部との間には吹出口４２が形成されており、底板３５と前扉６の下部との間には吸込口４３が形成されている。
【００１９】  また、ショーケースの筐体１の背面側に設けられた断熱壁３０の内側には、間隔をおいて内層仕切板３１、天板３４、および、底板３５（以下、それらの総称として庫内仕切板と称する）が取り付けられている。断熱壁３０と庫内仕切板との間には、上部ダクト４０ａ、中部ダクト４０ｂ、および、底部ダクト４０ｃが形成されており、それらは互いに連通している。上部ダクト４０ａは、吹出口４２と中部ダクト４０ｂとの間に形成されており、中部ダクト４０ｂは、上部ダクト４０ａと底部ダクト４０ｃとの間に形成されており、底部ダクト４０ｃは、吸込口４３と中部ダクト４０ｂとの間に形成されている。
【００２０】  また、庫内仕切板の内側は庫内となっており、庫内には加温冷却選択室２、第一冷却室３、および、第二冷却室４の貯蔵室が形成されている。この貯蔵室内には商品陳列用の棚３２が、例えば４段に架設されている。また、貯蔵室の下方は吸込口４３を介して底部ダクト４０ｃと連通している。
【００２１】  貯蔵室の背面側に位置する中部ダクト４０ｂには第一蒸発器１３が縦向きに配置されており、上部ダクト４０ａには第二凝縮器１４が横向きに配置されている。また、第一蒸発器１３の下方または上方には第一蒸発器用送風機２２が、第二凝縮器１４の下方または上方には第二凝縮器用送風機２３が、それぞれ配置されている。
【００２２】  また、加温冷却選択室２の底部には、加温冷却選択室２と第二冷却室４とを仕切る仕切部材が設けられている。仕切部材は、加温冷却選択室２の底部に固定された底板固定部３６と、底板固定部３６と当接するように前後に移動可能な前フサギ板３７および後フサギ板３８と、で構成されている。
【００２３】  前フサギ板３７は、後フサギ板３８よりも前方に設けられており、前方に移動して後述する風路４５（図６参照）を塞ぎ、後方に移動して風路４５を開放するものである。また、後フサギ板３８は、前フサギ板３７よりも後方に設けられており、後方に移動して上部ダクト４０ａと中部ダクト４０ｂとを仕切り、前方に移動して上部ダクト４０ａと中部ダクト４０ｂとを連通させるものである。
【００２４】  ここで、上部ダクト４０ａと中部ダクト４０ｂとを仕切るとは、上部ダクト４０ａと中部ダクト４０ｂとが連通していない状態にすることである。そのため、本実施の形態１に係るショーケースは、第一蒸発器１３で冷却された空気が、上部ダクト４０ａと中部ダクト４０ｂとが連通しているときは吹出口４２から加温冷却選択室２に吹き出され、上部ダクト４０ａと中部ダクト４０ｂとが仕切られているときは吹出口４２から加温冷却選択室２に吹き出されないように構成されている。
【００２５】  なお、前フサギ板３７および後フサギ板３８の前後の移動は、手動によって行われるが、制御装置２００によって制御される構成としてもよい。
【００２６】  また、加温冷却選択室２の内層仕切板３１の下部には、加温用開口穴４４が形成されている。また、図４の矢印で示すような冷気の流れになるように、第一冷却室３および第二冷却室４に連通する通路部材（図示せす）が、中部ダクト４０ｂに設けられている。また、図３に示すように、機械室５の下部には、冷媒漏れ検出センサー５０が設けられている。
【００２７】  次に、本実施の形態１に係るショーケースの冷媒の流れについて説明する。  第一回路１０１を循環する第一冷媒は、圧縮機１０で圧縮され、高温高圧のガス冷媒となった後で吐出され、第一凝縮器１１に流入する。第一凝縮器１１に流入した高温高圧ガス冷媒は、第一凝縮器用送風機２１から供給された空気に放熱しながら凝縮し、高圧の液冷媒となる。そして、第一凝縮器１１から流出した高圧の液冷媒は、絞り装置１２へ流入し、絞り装置１２によって低温低圧の二相冷媒に減圧された後、第一蒸発器１３に流入する。第一蒸発器１３に流入した低温低圧の二相冷媒は、第一蒸発器用送風機２２から供給された空気から吸熱することで庫内に吹き出される空気を冷却し、低温低圧のガス冷媒となる。その後、第一蒸発器１３から流出した低温低圧のガス冷媒は、圧縮機１０へ吸入される。以上のように、ショーケースの第一冷凍サイクルが形成される。
【００２８】  また、第二回路１０２を循環する第二冷媒は、第一凝縮器１１の風路下流側に設けられた第二蒸発器１５で、第一凝縮器用送風機２１から供給された、第一凝縮器１１の排熱により温められた温度の高い空気（以下、排風とも称する）と熱交換して蒸発する。その後、第二冷媒は、第二凝縮器１４で、第二凝縮器用送風機２３から供給された、内層ダクト４０内の温度の低い空気と熱交換して凝縮する。以上のように、第二蒸発器１５と第二凝縮器１４とのヘッド差により、第二冷媒が自然循環する自然循環方式の、ショーケースの第二冷凍サイクルが形成される。
【００２９】  次に、本実施の形態１に係るショーケースの作動流体である冷媒について説明する。  本実施の形態１に係るショーケースでは、作動流体である冷媒として、地球温暖化係数が１５００以下のＨＣ冷媒である可燃性冷媒が用いられ、例えば、プロパン、イソブタンが用いられる。プロパンの地球温暖化係数は３．３、イソブタンの地球温暖化係数は４である。なお、当該技術分野においては、地球温暖化係数はＧＷＰとも略称される。
【００３０】  本実態の形態１に係るショーケースは、冷凍装置内蔵型であるため、小型化が可能である。また、例えばプロパンの場合は液密度が小さいので、冷媒の充填量を減らすことができ、冷媒量を低減することができる。したがって、プロパン等の地球温暖化係数が１５００以下の可燃性冷媒を用いた場合であっても、冷媒の漏れに対する安全性を確保することが可能なショーケースを提供することができる。冷媒量を低減することができるので、燃焼範囲の下限値ＬＦＬは、例えばプロパンであれば２．１ｖｏｌ／％となるように設定され、冷媒が洩れた場合でも店舗内の冷媒濃度が冷媒の燃焼濃度に達することを回避することができる。
【００３１】  次に、本実施の形態１に係るショーケースの動作について説明する。  まず初めに、加温冷却選択室２が加温の場合について説明する。  加温冷却選択室２が加温の場合、図２に示す冷媒回路１００Ａにおいて、第一回路１０１で第一冷媒が循環する。このとき、制御装置２００は、圧縮機１０の周波数を増速し、第一凝縮器１１の凝縮温度が８５℃程度になるように運転する。このときの第一凝縮器１１からの排風温度が約８０℃となる。第二回路１０２を循環する第二冷媒は、この高温の排風と、第二蒸発器１５で熱交換することにより蒸発し、その後、第二凝縮器１４で凝縮する。一方、第二凝縮器１４で温められた空気は、加温冷却選択室２内を循環する。
【００３２】  ここで、図５において、第二凝縮器１４の出口をＡ１、第二凝縮器１４の入口をＤ１、第二蒸発器１５の入口をＢ１、第二蒸発器１５の出口をＣ１とすると、図５のｐ−ｈ線図は、その図上での加温冷却選択室２の加温時の第二冷媒の状態を表す。また、図５のｐ−ｈ線図は、縦軸に絶対圧力（ＭＰａ  ａｂｓ）、横軸に比エンタルピー（単位質量の冷媒がもつ内部エネルギーと仕事エネルギーとの総和）（ｋＪ／ｋｇ）で、冷媒の熱力学的性質（圧力、温度、熱量等）を表した線図である。
【００３３】  また、加温冷却選択室２が加温の場合、図３に示すように、前フサギ板３７は、底板固定部３６上を当接しながら前方向に移動して前側端部が前扉６と当接し、後フサギ板３８は底板固定部３６上を当接しながら後方向に移動して後側端部が断熱壁３０と当接するように構成される。このように前フサギ板３７および後フサギ板３８が移動することで、風路４５が塞がれるとともに上部ダクト４０ａと中部ダクト４０ｂとが仕切られ、加温冷却選択室２が、底板固定部３６、前フサギ板３７、および、後フサギ板３８で閉鎖された空間となる。そのため、加温冷却選択室２が、第一冷却室３および第二冷却室４とは別空間となる。
【００３４】  第二凝縮器１４で温められた空気は、吹出口４２から加温冷却選択室２に吹き出され、加温冷却選択室２内を循環しながら加温冷却選択室２を加温した後、内層仕切板３１の下部に設けられた加温用開口穴４４から上部ダクト４０ａへと戻る。
【００３５】  また、第一蒸発器１３で冷却された空気は、中部ダクト４０ｂで第一冷却室３の方向および第二冷却室４の方向に分岐する（図示せず）。そして、図４に示すように、第一冷却室３の方向に分岐した空気は第一冷却室３を循環しながら第一冷却室３を冷却し、第二冷却室４の方向に分岐した空気は第二冷却室４を循環しながら第二冷却室４を冷却する。
【００３６】  加温冷却選択室２の加温時では、加温冷却選択室２の温度を６０℃以上に保つため、制御装置２００は、圧縮機１０の周波数を増速し、第一凝縮器１１の凝縮温度を高め、その効果で第二凝縮器１４の凝縮温度を７０℃程度にする。冷媒にはプロパンが使用されており、プロパンはＲ４１０Ａ等に比べ吐出温度が低い（約２０℃程度低い）ので、凝縮温度を高めることができる。
【００３７】  また、冷媒が洩れた場合は、制御装置２００は、冷媒漏れ検出センサー５０で冷媒の漏れを検知したら、第一凝縮器用送風機２１、第一蒸発器用送風機２２、および、第二凝縮器用送風機２３の全てを全速で運転するようにする。
【００３８】  なお、加温冷却選択室２の加温時、加温力を補助するために、第二凝縮器１４の前面か後面に、表面温度が、プロパンの自然発火温度である４５０℃以下となるような補助ヒータ（図示せず）を設けてもよい。
【００３９】  次に、加温冷却選択室２が冷却の場合について説明する。  加温冷却選択室２が冷却の場合、図２に示す冷媒回路１００Ａにおいて、第一回路１０１で第一冷媒が循環する。このとき、制御装置２００は、圧縮機１０の周波数を加温時よりも減速し、第一凝縮器１１の凝縮温度が３５〜４０℃程度になるように運転する。このときの第一凝縮器１１からの排風温度が約３５℃となる。第二回路１０２を循環する第二冷媒は、この常温に近い排風と、第二蒸発器１５で熱交換することにより蒸発し、その後、第二凝縮器１４で凝縮する。
【００４０】  ここで、図５において、第二凝縮器１４の出口をＡ２、第二凝縮器１４の入口をＤ２、第二蒸発器１５の入口をＢ２、第二蒸発器１５の出口をＣ２とすると、図５のｐ−ｈ線図は、その図上での加温冷却選択室２の冷却時の第二冷媒の状態を表す。
【００４１】  また、加温冷却選択室２が冷却の場合、図６に示すように、前フサギ板３７は、底板固定部３６上を当接しながら後方向に移動して前側端部が前扉６から離れ、後フサギ板３８は底板固定部３６上を当接しながら前方向に移動して後側端部が断熱壁３０から離れるように構成される。このように前フサギ板３７および後フサギ板３８が移動することで、加温冷却選択室２と第二冷却室４とを連通させる風路４５が開放され、加温冷却選択室２が、第二冷却室４と連通する。また、上部ダクト４０ａと中部ダクト４０ｂとが連通する。
【００４２】  そして、第一蒸発器１３で冷却された空気は、中部ダクト４０ｂで第一冷却室３の方向、第二冷却室４の方向、および、上部ダクト４０ａの方向に分岐する（図示せず）。そして、図４に示すように、第一冷却室３の方向に分岐した空気は第一冷却室３を循環しながら第一冷却室３を冷却し、第二冷却室４の方向に分岐した空気は第二冷却室４を循環しながら第二冷却室４を冷却する。また、上部ダクト４０ａの方向に分岐した空気は、第二凝縮器１４で常温に近い温度となった空気と混合した後、吹出口４２から加温冷却選択室２に吹き出され、加温冷却選択室２内を循環しながら加温冷却選択室２を冷却した後、第二冷却室４に合流する。その後、第一冷却室３を冷却した空気および第二冷却室４を冷却した空気は、吸込口４３から底部ダクト４０ｃへと流れる。
【００４３】  加温冷却選択室２の冷却時では、制御装置２００は、加温時と比較して、圧縮機１０の周波数を減速し、第一凝縮器１１の凝縮温度を下げて運転し、成績係数を高めて運転する。
【００４４】  次に、加温冷却選択室２が常温の場合について説明する。なお、常温は、例えば２０〜２５℃程度を想定している。  ここで、例えば冷却されたペットボトルを持ち運ぶ際において、外気温度が高い場合は、ペットボトルが冷やされているので、ペットボトルが結露して表面に水分が付着するが、それを嫌がるユーザーの声があり、ペットボトルを常温で保管したいという要望がある。そこで、本実施の形態１に係るショーケースでは、冷却・加温機能に加え、加温冷却選択室２を常温にする常温機能を備えている。
【００４５】  加温冷却選択室２が常温の場合、図２に示す冷媒回路１００Ａにおいて、第一回路１０１で第一冷媒が循環する。このとき、制御装置２００は、圧縮機１０の周波数を加温時よりも減速し、第一凝縮器１１の凝縮温度が３５〜４０℃程度になるように運転する。このときの第一凝縮器１１からの排風温度が約３５℃となる。第二回路１０２を循環する第二冷媒は、この常温に近い排風と、第二蒸発器１５で熱交換することにより蒸発し、その後、第二凝縮器１４で凝縮する。
【００４６】  ここで、図５において、冷却時と同様に、第二凝縮器１４の出口をＡ２、第二凝縮器１４の入口をＤ２、第二蒸発器１５の入口をＢ２、第二蒸発器１５の出口をＣ２とすると、図５のｐ−ｈ線図は、その図上での加温冷却選択室２の常温時の第二冷媒の状態を表す。
【００４７】  また、加温冷却選択室２が常温の場合、図３に示すように、前フサギ板３７は、底板固定部３６上を当接しながら前方向に移動して前側端部が前扉６と当接し、後フサギ板３８は底板固定部３６上を当接しながら後方向に移動して後側端部が断熱壁３０と当接するように構成される。このように前フサギ板３７および後フサギ板３８が移動することで、風路４５が塞がれるとともに上部ダクト４０ａと中部ダクト４０ｂとが仕切られ、加温冷却選択室２が、底板固定部３６、前フサギ板３７、および、後フサギ板３８で閉鎖された空間となる。そのため、加温冷却選択室２が、第一冷却室３および第二冷却室４とは別空間となる。
【００４８】  第二凝縮器１４で常温に近い温度となった空気は、吹出口４２から加温冷却選択室２に吹き出され、加温冷却選択室２内を循環しながら加温冷却選択室２を加温した後、内層仕切板３１の下部に設けられた加温用開口穴４４から上部ダクト４０ａへと戻る。
【００４９】  また、第一蒸発器１３で冷却された空気は、中部ダクト４０ｂで第一冷却室３の方向および第二冷却室４の方向に分岐する（図示せず）。そして、図４に示すように、第一冷却室３の方向に分岐した空気は第一冷却室３を循環しながら第一冷却室３を冷却し、第二冷却室４の方向に分岐した空気は第二冷却室４を循環しながら第二冷却室４を冷却する。その後、第一冷却室３を冷却した空気および第二冷却室４を冷却した空気は、吸込口４３から底部ダクト４０ｃへと流れる。
【００５０】  本実施の形態１に係るショーケースを上記の構成とすることにより、地球温暖化係数が１５００以下の可燃性冷媒を用いた冷却・加温機能を有する冷凍装置内蔵型を提供でき、電気ヒータをなくすことができるとともに、冷凍装置内蔵型により冷媒の充填量を低減することができる。そのため、本実施の形態１に係るショーケースによれば、地球温暖化係数が１５００以下の可燃性冷媒を用いた場合であっても、冷媒の漏れに対する安全性を確保することができる。
【００５１】  また、本実施の形態１に係るショーケースは、冷凍装置内蔵型であるため、冷凍装置と室内機（ショーケース）とを別体とした場合のように、冷凍装置と室内機（ショーケース）とを連結する延長配管を設ける必要がない。冷凍装置と室内機（ショーケース）とを別体とした場合、延長配管は１００ｍを超える場合もあるため、圧損による冷却能力の低下、または、冷凍機油の戻り不具合による圧縮機損傷が生じる可能性がある。しかしながら、本実施の形態１に係るショーケースでは、延長配管を設ける必要がないため、圧損による冷却能力の低下、または、冷凍機油の戻り不具合による圧縮機損傷を回避することができる。そのため、ショーケースの信頼性および安全性を確保することができる。
【００５２】  また、本実施の形態１に係るショーケースでは、１台の圧縮機１０で加温および冷却ができるため、小型化および低コスト化が可能である。また、加温冷却選択室２が自然循環方式で温度制御されており、冷媒回路１００Ａを電磁弁等が不要で簡単な構成にすることができるため、さらに小型化および低コスト化が可能である。
【００５３】  さらに、第一凝縮器１１からの凝縮排熱を第二蒸発器１５の蒸発に利用するため、第一凝縮器１１からの凝縮排熱を抑制することができる。また、冷媒回路１００Ａが第一回路１０１と第二回路１０２とに分割されているため、加温に関して、第一回路１０１と第二回路１０２とを一体型で構成した場合よりも、第一回路１０１および第二回路１０２に封入されている冷媒量を、それぞれ少なくすることができる。
【００５４】  また、例えば凝縮温度６０℃、蒸発温度―１０℃の運転時、冷媒にＨＦＣ系混合冷媒のＲ４１０を使用した場合の圧縮比（吐出しガス絶対圧力／吸込み蒸気絶対圧力）が約７であるのに対し、冷媒にプロパンを使用した場合の圧縮比は約６である。そのため、冷媒にプロパンを使用することで、凝縮温度が高い場合でも圧縮機１０の摺動部への負荷のかかり方がＨＦＣ系混合冷媒相当であるため、耐久性も担保することができる。
【００５５】  図８は、本発明の実施の形態１に係るショーケースの変形例による冷媒回路図である。  図２に示す冷媒回路１００Ａに代えて、図８に示す冷媒回路１００Ｂのように、第二凝縮器１４の上側と第二蒸発器１５の上側との間に、例えば電磁弁等の開閉装置１６を設け、加温冷却選択室２を冷却するときは開閉装置１６を閉止して、自然循環回路である第二回路１０２の第二冷媒の流れを止める構成としてもよい。
【００５６】  以上、本実施の形態１に係るショーケースは、圧縮機１０、第一凝縮器１１、絞り装置１２、および、第一蒸発器１３が配管で順次接続され、第一冷媒が循環する第一回路１０１と、第二凝縮器１４と第二蒸発器１５とが配管で順次接続され、第二冷媒が自然循環する第二回路１０２と、で構成された冷媒回路１００Ａと、第一蒸発器１３で冷却された空気が流れる第一冷却室３および第二冷却室４、および、第一蒸発器１３で冷却された空気または第二凝縮器１４で加温された空気が流れる加温冷却選択室２、が形成された筐体１と、を備えたものである。
【００５７】  本実施の形態１に係るショーケースによれば、電気ヒータを使用せずに自然循環回路である第二回路１０２の第二凝縮器１４で加温された空気で加温冷却選択室２を加温する構成であるため、省エネルギー化を実現することができる。さらに、本実施の形態１に係るショーケースによれば、第一凝縮器１１の排熱を利用して加温冷却選択室２を加温するため、ショーケースから排出される熱を低減することができる。また、本実施の形態１に係るショーケースによれば、加温用の電気ヒータを省略することができるため、部品点数を削減して低コスト化を実現することができる。
【００５８】  従来の冷却・加温用のショーケースでは加温室の加温用に電気ヒータを使用しているため、万が一冷媒が洩れた場合に電気ヒータに加温されて、可燃性冷媒が燃焼する恐れがある。
【００５９】  しかしながら、本実施の形態１に係るショーケースによれば、電気ヒータを使用せずに自然循環回路である第二回路１０２の第二凝縮器１４で加温された空気で加温冷却選択室２を加温する構成である。そのため、冷媒回路１００Ａに封入される冷媒として可燃性冷媒が用いられた場合であっても、可燃性冷媒の漏れに対する安全性を確保することができる。
【００６０】  実施の形態２．  以下、本発明の実施の形態２について説明するが、実施の形態１と重複するものについては説明を省略し、実施の形態１と同じ部分または相当する部分には同じ符号を付す。
【００６１】  図９は、本発明の実施の形態２に係るショーケースの冷媒回路図である。  本実施の形態２に係るショーケースは、図９に示すように、第一回路１０１と第二回路１０２とで構成される冷媒回路１００Ｃを備えている。さらに、ショーケースは、制御装置２００を備えている。
【００６２】  第一回路１０１は、圧縮機１０、一体型熱交換器１７、絞り装置１２、および、第一蒸発器１３が配管で順次接続され、第一冷媒が循環する回路である。また、第二回路１０２は、第一凝縮器１１の風路下流側に設けられた一体型熱交換器１７と、一体型熱交換器１７よりも上側となる位置に設けられた第二凝縮器１４とが配管で接続され、第二冷媒が循環する回路である。なお、第一冷媒と第二冷媒とは、同一の種類であってもよく、異なる種類であってもよい。第一回路１０１および第二回路１０２には、それぞれ第一冷媒、第二冷媒が封入されており、各回路内をそれら冷媒が独立して循環する。つまり、第一回路１０１と第二回路１０２とは互いに独立した閉回路である。
【００６３】  このように、本実施の形態２に係る冷媒回路１００Ｃでは、実施の形態１に係る冷媒回路１００Ａで用いられている第一凝縮器１１および第二蒸発器１５の代わりに、それらを一体化した一体型熱交換器１７が用いられている。つまり、一体型熱交換器１７は、第一凝縮器１１と第二蒸発器１５とが一体化されたものである。
【００６４】  本実施の形態２に係るショーケースでは、冷媒回路１００Ｃをこのような構成とすることにより、第一凝縮器１１の排熱を効率よく第二蒸発器１５に伝熱することができるとともに、小型化が可能である。
【００６５】  その他の実施の形態．  ショーケースは、上述の実施の形態に限らず種々の変形が可能である。例えば、実施の形態１〜３に係るショーケースは、リーチインタイプであるが、縦型オープンショーケース等にも適用できる。また、加温と冷却とを切替え可能な加温冷却選択室２を、加温専用の加温室にしてもよい。
【符号の説明】
【００６６】  １  筐体、２  加温冷却選択室、３  第一冷却室、４  第二冷却室、５  機械室、６  前扉、１０  圧縮機、１１  第一凝縮器、１２  絞り装置、１３  第一蒸発器、１４  第二凝縮器、１５  第二蒸発器、１６  開閉装置、１７  一体型熱交換器、２１  第一凝縮器用送風機、２２  第一蒸発器用送風機、２３  第二凝縮器用送風機、３０  断熱壁、３１  内層仕切板、３２  棚、３４  天板、３５  底板、３６  底板固定部、３７  前フサギ板、３８  後フサギ板、４０ａ  上部ダクト、４０ｂ  中部ダクト、４０ｃ  底部ダクト、４２  吹出口、４３  吸込口、４４  加温用開口穴、４５  風路、４６  風路、５０  冷媒漏れ検出センサー、１００Ａ  冷媒回路、１００Ｂ  冷媒回路、１０１  第一回路、１０２  第二回路、２００  制御装置。
【図１】
2019224870.tif 000003
【図２】
2019224870.tif 000004
【図３】
2019224870.tif 000005
【図４】
2019224870.tif 000006
【図５】
2019224870.tif 000007
【図６】
2019224870.tif 000008
【図７】
2019224870.tif 000009
【図８】
2019224870.tif 000010
【図９】
2019224870.tif 000011
【手続補正書】
【提出日】令和2年9月18日(2020.9.18)
【手続補正１】
【補正対象書類名】明細書
【補正対象項目名】０００６
【補正方法】変更
【補正の内容】
【０００６】
本発明に係るショーケースは、圧縮機、第一凝縮器、絞り装置、および、第一蒸発器が配管で順次接続され、第一冷媒が循環する第一回路と、第二凝縮器と第二蒸発器とが配管で順次接続され、第二冷媒が自然循環する第二回路と、で構成された冷媒回路と、前記第一蒸発器で冷却された空気が流れる冷却室、および、前記第一蒸発器で冷却された空気または前記第二凝縮器で加温された空気が流れる加温冷却選択室、が形成された筐体と、制御装置と、を備え、前記圧縮機は、周波数が可変できるものであり、前記制御装置は、加温冷却選択室の冷却時では、加温時と比較して、前記圧縮機の周波数を減速するものである。
【手続補正２】
【補正対象書類名】特許請求の範囲
【補正対象項目名】全文
【補正方法】変更
【補正の内容】
【特許請求の範囲】
【請求項１】
圧縮機、第一凝縮器、絞り装置、および、第一蒸発器が配管で順次接続され、第一冷媒が循環する第一回路と、第二凝縮器と第二蒸発器とが配管で順次接続され、第二冷媒が自然循環する第二回路と、で構成された冷媒回路と、
前記第一蒸発器で冷却された空気が流れる冷却室、および、前記第一蒸発器で冷却された空気または前記第二凝縮器で加温された空気が流れる加温冷却選択室、が形成された筐体と、
制御装置と、を備え、
前記圧縮機は、周波数が可変できるものであり、
前記制御装置は、
加温冷却選択室の冷却時では、加温時と比較して、前記圧縮機の周波数を減速するものである
ショーケース。
【請求項２】
前記第二蒸発器は、前記第一凝縮器と同一の風路上、かつ、前記第一凝縮器の下流側に設けられている
請求項１に記載のショーケース。
【請求項３】
前記第二凝縮器は、前記第二蒸発器よりも上側となる位置に設けられている
請求項１または２に記載のショーケース。
【請求項４】
前記第一凝縮器に空気を供給する第一凝縮器用送風機を備えた
請求項１〜３のいずれか一項に記載のショーケース。
【請求項５】
前記筐体は、前記圧縮機、前記第一凝縮器、および、前記第二蒸発器が収納された機械室を備えた
請求項１〜４のいずれか一項に記載のショーケース。
【請求項６】
前記第一凝縮器と前記第二蒸発器とは一体化されている
請求項１〜５のいずれか一項に記載のショーケース。
【請求項７】
前記筐体には、
前記加温冷却選択室と前記冷却室とを連通させる風路と、
前記第一蒸発器で冷却された空気または前記第二凝縮器で加温された空気が前記加温冷却選択室に吹き出される吹出口と
前記第一蒸発器が配置されている中部ダクトと、
前記吹出口と前記中部ダクトとの間に設けられた上部ダクトと、が形成されている
請求項１〜６のいずれか一項に記載のショーケース。
【請求項８】
移動することにより、前記風路を塞ぐまたは開放するとともに、前記上部ダクトと前記中部ダクトとを仕切るまたは連通させる仕切部材を備えた
請求項７に記載のショーケース。
【請求項９】
前記第二凝縮器に空気を供給する第二凝縮器用送風機を備えた
請求項１〜８のいずれか一項に記載のショーケース。
【請求項１０】
前記第一蒸発器に空気を供給する第一蒸発器用送風機を備えた
請求項１〜９のいずれか一項に記載のショーケース。
【請求項１１】
前記冷媒回路に可燃性冷媒が封入された
請求項１〜１０のいずれか一項に記載のショーケース。
【請求項１２】
前記可燃性冷媒はプロパンである
請求項１１に記載のショーケース。
【国際調査報告】
2019224870.tif 000012
2019224870.tif 000013
2019224870.tif 000014